(57)【要約】【課題】本人認証を通信量の削減、通信時間の短縮の下で達成する。【解決手段】人物画像入力装置２２からの人物画像データと認証用人物画像登録部２６２の認証用人物画像データとを人物画像処理部２６１で照合して照合結果データを認証部２６３に出力する。認証部２６３は、照合結果データに基づいて認証結果データを出力し、通信・通話データ送信装置２８を経て相手の受信部１６に送信される。受信部１６の通信・電話データ受信装置３２が認証結果データを受信し、認証結果処理装置３４に供給する。通知結果処理部３４１は、個人データ登録部３４２から認証結果データ対応の登録個人データを読み出し、登録個人データを表示装置３６に供給表示して本人の確認を行う。【選択図】　　　　図１
2004021748.tif 000002
【特許請求の範囲】
【請求項１】
第１の情報端末装置から通信網を介して第２の情報端末装置に認証情報を通知する認証情報通知方法であって、
前記第１の情報端末装置において、
前記第１の情報端末装置へのアクセスが予め見込まれる個人についての、当該個人固有の特徴を表す認証用個人情報を登録し、
前記第１の情報端末装置にアクセスしようとする個人固有の特徴を表す個人情報を取得し、
登録されている認証用個人情報を読み出し、
取得された前記個人情報と読み出された前記認証用個人情報とを照合し、
照合された照合情報に基づいて前記個人の認証情報を生成し、
前記第１の情報端末装置において生成された前記認証情報を前記通信網を介して前記第２の情報端末装置に通知することを特徴とする認証情報通知方法。
【請求項２】
前記認証用個人情報は、前記個人の認証用画像情報であり、前記個人情報は、前記個人の画像情報であることを特徴とする請求項１記載の認証情報通知方法。
【請求項３】
前記認証用画像情報は、認証用人物画像情報及び認証用指紋画像情報のいずれか一方又は双方であり、前記画像情報は、人物画像情報及び指紋画像情報のいずれか一方又は双方であることを特徴とする請求項２記載の認証情報通知方法。
【請求項４】
前記認証用個人情報は、前記個人の認証用音声情報であり、前記個人情報は、前記個人の音声情報であることを特徴とする請求項１記載の認証情報通知方法。
【請求項５】
前記認証用個人情報は、前記個人の前記認証用画像情報及び前記認証用音声情報であり、前記個人情報は、前記個人の前記画像情報及び前記音声情報であることを特徴とする請求項１、３又は４記載の認証情報通知方法。
【請求項６】
前記照合情報は、前記認証用個人情報と前記個人の前記個人情報との類似度であることを特徴とする請求項１乃至５のいずれか一に記載の認証情報通知方法。
【請求項７】
前記個人の認証情報は、前記個人であることを証明する情報であることを特徴とする請求項１乃至６のいずれか一に記載の認証情報通知方法。
【請求項８】
第１の情報端末装置から通信網を介して第２の情報端末装置に認証情報を通知する認証システムであって、
前記第１の情報端末装置に、
前記第１の情報端末装置へのアクセスが予め見込まれる個人についての、当該個人固有の特徴を表す認証用個人情報を登録する第１の登録手段と、
前記第１の情報端末装置にアクセスしようとする個人固有の特徴を表す第１の個人情報を取得する情報取得手段と、
前記第１の登録手段に登録されている認証用個人情報を読み出す第１の情報読み出し手段と、
前記情報取得手段によって取得された前記第１の個人情報と前記第１の情報読み出し手段によって読み出された前記認証用個人情報とを照合する照合手段と、
該照合手段によって照合された照合情報に基づいて前記個人の認証情報を生成する生成手段と、
該生成手段によって生成された前記認証情報を前記通信網へ送信する送信手段とを備え、
前記第２の情報端末装置に、
前記通信網を経て前記認証情報を受信する受信手段と、
前記アクセスが予め見込まれる前記個人の第２の個人情報を登録する第２の登録手段と、
前記受信手段で受信した前記認証情報に基づいて前記第２の登録手段から前記第２の個人情報を読み出す第２の情報読み出し手段と、
該第２の情報読み出し手段によって読み出された前記第２の個人情報の視認に供せしめるように前記第２の個人情報を表示する表示手段とを備えたことを特徴とする認証システム。
【請求項９】
前記第１の登録手段に登録されている前記認証用個人情報は、前記個人の認証用画像情報であり、前記情報取得手段によって取得される前記第１の個人情報は、前記個人の画像情報であることを特徴とする請求項８記載の認証システム。
【請求項１０】
前記第１の登録手段に登録されている前記認証用画像情報は、認証用人物画像情報及び認証用指紋画像情報のいずれか一方又は双方であり、前記情報取得手段によって取得される前記画像情報は、人物画像情報及び指紋画像情報のいずれか一方又は双方であることを特徴とする請求項９記載の認証システム。
【請求項１１】
前記第１の登録手段に登録されている前記認証用個人情報は、前記個人の認証用音声情報であり、前記情報取得手段によって取得される前記第１の個人情報は、前記個人の音声情報であることを特徴とする請求項８記載の認証システム。
【請求項１２】
前記第１の登録手段に登録されている前記認証用個人情報は、前記個人の前記認証用画像情報及び前記認証用音声情報であり、前記情報取得手段によって取得される前記個人情報は、前記個人の前記画像情報及び前記音声情報であることを特徴とする請求項８、１０又は１１記載の認証システム。
【請求項１３】
前記照合手段によって得られる前記照合情報は、前記認証用個人情報と前記第１の個人情報との類似度であることを特徴とする請求項８乃至１２のいずれか一に記載の認証システム。
【請求項１４】
前記生成手段によって生成される前記個人の認証情報は、前記個人であることを証明する情報であることを特徴とする請求項８乃至１３のいずれか一に記載の認証システム。
【請求項１５】
前記第２の登録手段に登録されている前記第２の個人情報は、前記個人の住所、電話番号、顔写真等であることを特徴とする請求項８乃至１４のいずれか一に記載の認証システム。
【請求項１６】
前記情報端末装置は、認証情報通知式携帯電話機、固定電話機及びＩＰ電話機のいずれかであることを特徴とする請求項８乃至１５のいずれか一に記載の認証システム。
【請求項１７】
前記情報処理装置は、前記通信網を経て前記第１の情報端末装置に接続される身元確認システム及び銀行システムから成ることを特徴とする請求項８乃至１５のいずれか一に記載の認証システム。
【請求項１８】
通信網を介して他の情報端末装置に認証情報を送信する情報端末装置であって、
前記情報端末装置へのアクセスが予め見込まれる個人についての、当該個人固有の特徴を表す認証用個人情報を登録する登録手段と、
前記情報端末装置にアクセスしようとする個人固有の特徴を表す個人情報を取得する情報取得手段と、
前記登録手段に登録されている認証用個人情報を読み出す情報読み出し手段と、
前記情報取得手段によって取得された前記個人情報と前記情報読み出し手段によって読み出された前記認証用個人情報とを照合する照合手段と、
該照合手段によって照合された照合情報に基づいて前記個人の認証情報を生成する生成手段とを備えたことを特徴とする情報端末装置。
【請求項１９】
前記登録手段に登録されている前記認証用個人情報は、前記第１の情報端末装置にアクセスしたい前記個人の認証用画像情報であり、前記情報取得手段によって取得される前記個人情報は、アクセスしようとする前記個人の画像情報であることを特徴とする請求項１８記載の情報端末装置。
【請求項２０】
前記登録手段に登録されている前記認証用画像情報は、認証用人物画像情報及び認証用指紋画像情報のいずれか一方又は双方であり、前記情報取得手段によって取得される前記画像情報は、人物画像情報及び指紋画像情報のいずれか一方又は双方であることを特徴とする請求項１９記載の情報端末装置。
【請求項２１】
前記登録手段に登録されている前記認証用個人情報は、前記個人の認証用音声情報であり、前記情報取得手段によって取得される前記個人情報は、前記個人の音声情報であることを特徴とする請求項１８記載の情報端末装置。
【請求項２２】
前記登録手段に登録されている前記認証用個人情報は、前記個人の前記認証用画像情報及び前記認証用音声情報であり、前記情報取得手段によって取得される前記個人情報は、前記個人の前記画像情報及び前記音声情報であることを特徴とする請求項１８、２０又は２１記載の情報端末装置。
【請求項２３】
前記照合手段によって得られる前記照合情報は、前記認証用個人情報と前記個人情報との類似度であることを特徴とする請求項１８乃至２２のいずれか一に記載の情報端末装置。
【請求項２４】
前記生成手段によって生成される前記個人の認証情報は、前記個人であることを証明する情報であることを特徴とする請求項１８乃至２３のいずれか一に記載の情報端末装置。
【請求項２５】
他の情報端末装置から通信網を介して認証情報を受信する情報端末装置であって、
前記通信網を経て前記認証情報を受信する受信手段と、
前記アクセスが予め見込まれる前記個人の個人情報を登録する登録手段と、
前記受信手段で受信した前記認証情報に基づいて前記登録手段から前記個人情報を読み出す情報読み出し手段と、
該情報読み出し手段によって読み出された前記個人情報の視認に供せしめるように前記個人情報を表示する表示手段とを備えたことを特徴とする情報端末装置。
【請求項２６】
前記登録手段に登録されている前記個人情報は、前記個人の住所、電話番号、顔写真等であることを特徴とする請求項２５記載の情報端末装置。
【請求項２７】
前記情報処理装置は、前記通信網を経て他の前記情報端末装置に接続される身元確認システム及び銀行システムから成ることを特徴とする請求項２５又は２６記載の情報端末装置。
【発明の詳細な説明】
【０００１】
【発明の属する技術分野】
この発明は、認証情報通知方法及び認証システム並びに情報端末装置に関し、詳しくは受信装置において認証情報に基づく所定の処理を行わせるようにアクセスした者を認証する認証情報のみを相手に送信する認証情報通知方法及び認証システム並びに情報端末装置に関する。
【０００２】
【従来の技術】
通信回線を介して商取引を行う際の安全性（セキュリティ）を確保するための手段として用いられる認証システムは従来から知られている。その例が特開２００１−３０５６１７号公報（以下、第１の公報という）に示されている。
この第１の公報に記載される認証システムの動作は、次の通りである。加盟店舗で買い物を行った消費者が無線端末において振替処理を起動して自己の暗証番号を入力する。無線端末は、暗証番号及び自己に付与されているＩＤ番号によって無線局、通信回線網を介して身元認定局に対して認証要求を行う。身元認定局は、受信した暗証番号及びＩＤ番号に基づいて得た認定番号を通信回線網、無線局を介して無線端末に送信する。無線端末は、受信した認定番号に基づいて暗号化された識別データ（顔画像）を復号して復号された識別データとカメラから取得された識別データ（顔画像）とを照合して一致したとき上記消費者の認定が得られたとする。無線端末は、認証ＯＫのメッセージを無線局、通信回線網を介して身元認定局に送信する。
【０００３】
このようにして、無線端末と身元認定局との間で身元の認定が終了すると、身元認定局から通信回線網、金融システムネットワークを介して銀行システムに振替要求を行う。
その処理結果は、銀行システムから金融システムネットワーク、通信回線網を介して身元認定局に通知される。
【０００４】
身元認定局は、通信回線網、無線局を介して振替処理の通知を無線端末に通知する。無線端末は、バーコード表示形式でＰＯＳ端末に振替情報を送信して振替処理を終了する。
このようにして、通信回線を介しての商取引におけるセキュリティが確保される。
【０００５】
また、上述した形式の認証手段を用いることなく、携帯型情報処理装置におけるセキュリティを確保する技術も開発されている。その例は、特開２０００−１３７８０９号公報（第２の公報という）に記載されている。
この第２の公報に記載されるセキュリティのための認証手段を装備した携帯型情報処理装置は、次のように構成されている。
【０００６】
携帯型情報処理装置は、テレビ電話システムに用いられる撮像手段を装備するもので、その撮像手段によって撮像された画像データとデータベース手段に記憶した画像データとを画像照合手段で照合する。なお、データベース手段に記憶される画像データは、携帯型情報処理装置の操作を許可された操作者を特定するための画像データである。
画像照合手段で照合が得られたときには、そのとき発行されたコマンドを実行するが、得られないときにはそのコマンドの実行はしない。
これによれば、特別の認証装置を用意することなく、また、操作者に認証に必要な操作を課することなく、既設の撮像手段を用いて認証を施行し得る。
【０００７】
【発明が解決しようとする課題】
しかしながら、第１の公報に記載される認証システムにおいては、無線端末で使用者の認証を行うのに無線端末が身元認定局にアクセスして身元認定局から認定番号を受け取らねばならない。したがって、身元認定局を必要不可欠の構成要素として備えなければならない。
また、無線端末における使用者の認証に画像データを用いなければならないから、認証処理に時間が掛かってしまう。
【０００８】
また、第２の公報に記載される携帯型情報端末装置においては、使用者の画像データを用いて使用者を認証し、認証結果に基づいて携帯型情報端末装置の特定機能を制限するだけで、認証結果を他のシステムに通知する手段がない。
【０００９】
この発明は、上述の事情に鑑みてなされたもので、受信装置において認証情報に基づく所定の処理を行わせる情報として、アクセスした者を認証する認証情報のみを用いる認証情報通知方法及び認証システム並びに情報端末装置を提供することを目的としている。
【００１０】
【課題を解決するための手段】
上記課題を解決するために、請求項１記載の発明は、第１の情報端末装置から通信網を介して第２の情報端末装置又は情報処理装置に認証情報を通知する認証情報通知方法に係り、上記第１の情報端末装置において、上記第１の情報端末装置へのアクセスが予め見込まれる個人についての、当該個人固有の特徴を表す認証用個人情報を登録し、　上記第１の情報端末装置にアクセスしようとする個人固有の特徴を表す個人情報を取得し、　登録されている認証用個人情報を読み出し、取得された上記個人情報と読み出された上記認証用個人情報とを照合し、照合された照合情報に基づいて上記個人の認証情報を生成し、上記第１の情報端末装置において生成された上記認証情報を上記通信網を介して上記第２の情報端末装置に通知することを特徴としている。
【００１１】
請求項２記載の発明は、請求項１記載の認証情報通知方法に係り、上記認証用個人情報は、上記個人の認証用画像情報であり、上記個人情報は、上記個人の画像情報であることを特徴としている。
【００１２】
請求項３記載の発明は、請求項２記載の認証情報通知方法に係り、上記認証用画像情報は、認証用人物画像情報及び認証用指紋画像情報のいずれか一方又は双方であり、上記画像情報は、人物画像情報及び指紋画像情報のいずれか一方又は双方であることを特徴としている。
【００１３】
請求項４記載の発明は、請求項１記載の認証情報通知方法に係り、上記認証用個人情報は、上記個人の認証用音声情報であり、上記個人情報は、上記個人の音声情報であることを特徴としている。
【００１４】
請求項５記載の発明は、請求項１、３又は４記載の認証情報通知方法に係り、上記認証用個人情報は、上記個人の上記認証用画像情報及び上記認証用音声情報であり、上記個人情報は、上記個人の上記画像情報及び上記音声情報であることを特徴としている。
【００１５】
請求項６記載の発明は、請求項１乃至５のいずれか一に記載の認証情報通知方法に係り、上記照合情報は、上記認証用個人情報と上記個人の上記個人情報との類似度であることを特徴としている。
【００１６】
請求項７記載の発明は、請求項１乃至６のいずれか一に記載の認証情報通知方法に係り、上記個人の認証情報は、上記個人であることを証明する情報であることを特徴としている。
【００１７】
請求項８記載の発明は、第１の情報端末装置から通信網を介して第２の情報端末装置に認証情報を通知する認証システムに係り、前記第１の情報端末装置に、
前記第１の情報端末装置へのアクセスが予め見込まれる個人についての、当該個人固有の特徴を表す認証用個人情報を登録する第１の登録手段と、前記第１の情報端末装置にアクセスしようとする個人固有の特徴を表す第１の個人情報を取得する情報取得手段と、前記第１の登録手段に登録されている認証用個人情報を読み出す第１の情報読み出し手段と、前記情報取得手段によって取得された前記第１の個人情報と前記第１の情報読み出し手段によって読み出された前記認証用個人情報とを照合する照合手段と、該照合手段によって照合された照合情報に基づいて前記個人の認証情報を生成する生成手段と、該生成手段によって生成された前記認証情報を前記通信網へ送信する送信手段とを備え、前記第２の情報端末装置に、前記通信網を経て前記認証情報を受信する受信手段と、前記アクセスが予め見込まれる前記個人の第２の個人情報を登録する第２の登録手段と、前記受信手段で受信した前記認証情報に基づいて前記第２の登録手段から前記第２の個人情報を読み出す第２の情報読み出し手段と、該第２の情報読み出し手段によって読み出された前記第２の個人情報の視認に供せしめるように前記第２の個人情報を表示する表示手段とを備えたことを特徴としている。
【００１８】
請求項９記載の発明は、請求項８記載の認証システムに係り、上記第１の登録手段に登録されている上記認証用個人情報は、上記個人の認証用画像情報であり、上記情報取得手段によって取得される上記第１の個人情報は、上記個人の画像情報であることを特徴としている。
【００１９】
請求項１０記載の発明は、請求項９記載の認証システムに係り、上記第１の登録手段に登録されている上記認証用画像情報は、認証用人物画像情報及び認証用指紋画像情報のいずれか一方又は双方であり、上記情報取得手段によって取得される上記画像情報は、人物画像情報及び指紋画像情報のいずれか一方又は双方であることを特徴としている。
【００２０】
請求項１１記載の発明は、請求項８記載の認証システムに係り、上記第１の登録手段に登録されている上記認証用個人情報は、上記個人の認証用音声情報であり、上記情報取得手段によって取得される上記第１の個人情報は、上記個人の音声情報であることを特徴としている。
【００２１】
請求項１２記載の発明は、請求項８、１０又は１１記載の認証システムに係り、
上記第１の登録手段に登録されている上記認証用個人情報は、上記個人の上記認証用画像情報及び上記認証用音声情報であり、上記情報取得手段によって取得される上記個人情報は、上記個人の上記画像情報及び上記音声情報であることを特徴としている。
【００２２】
請求項１３記載の発明は、請求項８乃至１２のいずれか一に記載の認証システムに係り、上記照合手段によって得られる上記照合情報は、上記認証用個人情報と上記第１の個人情報との類似度であることを特徴としている。
【００２３】
請求項１４記載の発明は、請求項８乃至１３のいずれか一に記載の認証システムに係り、上記生成手段によって生成される上記個人の認証情報は、上記個人であることを証明する情報であることを特徴としている。
【００２４】
請求項１５記載の発明は、請求項８乃至１４のいずれか一に記載の認証システムに係り、前記第２の登録手段に登録されている前記第２の個人情報は、前記個人の住所、電話番号、顔写真等であることを特徴としている。
【００２５】
請求項１６記載の発明は、請求項８乃至１５のいずれか一に記載の認証システムに係り、上記情報端末装置は、認証情報通知式携帯電話機、固定電話機及びＩＰ電話機のいずれかであることを特徴としている。
【００２６】
請求項１７記載の発明は、請求項８乃至１５のいずれか一に記載の認証システムに係り、上記情報処理装置は、通信網を経て第１の情報端末装置に接続される身元確認システム及び銀行システムから成ることを特徴としている。
【００２７】
請求項１８記載の発明は、通信網を介して他の情報端末装置又は情報処理装置に認証情報を送信する情報端末装置に係り、上記情報端末装置へのアクセスが予め見込まれる個人についての、当該個人固有の特徴を表す認証用個人情報を登録する登録手段と、上記情報端末装置にアクセスしようとする個人固有の特徴を表す個人情報を取得する情報取得手段と、上記登録手段に登録されている認証用個人情報を読み出す情報読み出し手段と、上記情報取得手段によって取得された上記個人情報と上記情報読み出し手段によって読み出された上記認証用個人情報とを照合する照合手段と、該照合手段によって照合された照合情報に基づいて上記個人の認証情報を生成する生成手段とを備えたことを特徴としている。
【００２８】
請求項１９記載の発明は、請求項１８記載の情報端末装置に係り、上記登録手段に登録されている上記認証用個人情報は、上記第１の情報端末装置にアクセスしたい上記個人の認証用画像情報であり、上記情報取得手段によって取得される上記個人情報は、アクセスしようとする上記個人の画像情報であることを特徴としている。
【００２９】
請求項２０記載の発明は、請求項１９記載の情報端末装置に係り、上記登録手段に登録されている上記認証用画像情報は、認証用人物画像情報及び認証用指紋画像情報のいずれか一方又は双方であり、上記情報取得手段によって取得される上記画像情報は、人物画像情報及び指紋画像情報のいずれか一方又は双方であることを特徴としている。
【００３０】
請求項２１記載の発明は、請求項１８記載の情報端末装置に係り、上記登録手段に登録されている上記認証用個人情報は、上記個人の認証用音声情報であり、上記情報取得手段によって取得される上記個人情報は、上記個人の音声情報であることを特徴としている。
【００３１】
請求項２２記載の発明は、請求項１８、２０又は２１記載の情報端末装置に係り、上記登録手段に登録されている上記認証用個人情報は、上記個人の上記認証用画像情報及び上記認証用音声情報であり、上記情報取得手段によって取得される上記個人情報は、上記個人の上記画像情報及び上記音声情報であることを特徴としている。
【００３２】
請求項２３記載の発明は、請求項１８乃至２２のいずれか一に記載の情報端末装置に係り、上記照合手段によって得られる上記照合情報は、上記認証用個人情報と上記個人情報との類似度であることを特徴としている。
【００３３】
請求項２４記載の発明は、請求項１８乃至２３のいずれか一に記載の情報端末装置に係り、上記生成手段によって生成される上記個人の認証情報は、上記個人であることを証明する情報であることを特徴としている。
【００３４】
請求項２５記載の発明は、他の情報端末装置から通信網を介して認証情報を受信する情報端末装置に係り、前記通信網を経て前記認証情報を受信する受信手段と、前記アクセスが予め見込まれる前記個人の個人情報を登録する登録手段と、前記受信手段で受信した前記認証情報に基づいて前記登録手段から前記個人情報を読み出す情報読み出し手段と、該情報読み出し手段によって読み出された前記個人情報の視認に供せしめるように前記個人情報を表示する表示手段とを備えたことを特徴としている。
【００３５】
請求項２６記載の発明は、請求項２５記載の情報端末装置に係り、前記登録手段に登録されている前記個人情報は、前記個人の住所、電話番号、顔写真等であることを特徴としている。
【００３６】
請求項２７記載の発明は、請求項２５又は２６記載の情報端末装置に係り、前記情報処理装置は、前記通信網を経て他の前記情報端末装置に接続される身元確認システム及び銀行システムから成ることを特徴としている。
【００３７】
【発明の実施の形態】
以下、図面を参照して、この発明の実施の形態について説明する。説明は、実施例を用いて具体的に説明する。
◇第１実施例
図１は、この発明の第１の実施例である認証情報通知式携帯電話機の送信部の構成図、図２は、同認証情報通知式携帯電話機の受信部の構成図、図３は、同認証情報通知式携帯電話機の送信部の処理手順を示すフローチャート、また、図４は、同認証情報通知式携帯電話機の受信部の処理手順を示すフローチャートである。
【００３８】
この実施例の送信側の認証情報通知式携帯電話機１０は、送信側の携帯電話機から発呼をした者の認証結果データ（認証情報）のみを受信側の携帯電話機へ通知する電話機に係り、図１及び図２に示すように、発呼した者の認証結果データを電話回線１２に送出する送信部１４と、認証結果データを電話回線１２を介して受信する受信部１６とから成る。
電話回線１２は、移動電話網に形成される回線である。移動電話網は、基地局と電話交換網とで概略構成されるが、いずれも図１及び図２には図示しない。移動電話網の電話回線１２は、発呼に応答して送信側の送信部１４とこれに対応する基地局との間、受信側の受信部１６とこれに対応する基地局との間、受信側の送信部１４とこれに対応する基地局との間、送信側の受信部とこれに対応する基地局との間に形成される無線回線と電話交換網内に形成される有線及び／又は無線の回線とで構成される。
【００３９】
認証情報通知式携帯電話機１０の送信部１４は、図１に示すように、人物画像入力装置２２と、表示装置２４と、認証処理装置２６と、通信・通話データ送信装置２８とから成る。通信・通話データ送信装置２８は、電話回線１２に接続される。
人物画像入力装置２２は、ＣＣＤ（Ｃｈａｒｇｅ　Ｃｏｕｐｌｅｄ　Ｄｅｖｉｃｅ）、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等から得られた人物画像データ（人物画像情報、個人情報のうちの１つ）を表示装置２４に出力する。
表示装置２４は、入力さされた人物画像データをＴＦＴ液晶等表示装置の表示画面に画像にして表示すると共に、認証処理装置２６へ供給して認証処理装置２６から返送されて来る照合結果データを表示する。
【００４０】
認証処理装置２６は、人物画像処理部２６１と、認証用人物画像登録部２６２と、認証部２６３とから成る。人物画像処理部２６１は、表示装置２４から入力された人物画像データと認証用人物画像登録部２６２に登録されている認証用人物画像データ（認証用人物画像情報、認証用個人情報の１つ）とを照合して照合結果データ（照合情報）を表示装置２４及び認証部２６３に出力する。
認証用人物画像登録部２６２へ登録される認証用人物画像データは、認証情報通知式携帯電話機１０へのアクセスが見込まれる個人の認証用人物画像データである。
上記照合は、画像の類似度を測るテンプレートマッチング方式を用いる。認証用人物画像登録部２６２への登録は、携帯電話契約時に予め登録する。登録は変更してもよく、また、登録者は、１人でもよいし、複数人でもよい。
【００４１】
認証部２６３は、照合結果データに基づいて認証結果データ（認証情報）を出力する。認証結果データは、例えば、本人か否かを示すデータ、使用者の名前を示すデータである。
通信・通話データ送信装置２８は、認証結果データを電話回線１２に送信する。
なお、受信側の認証情報通知式携帯電話機１１の送信部の構成も、送信側の認証情報通知式携帯電話機１０の送信部１４と同じ構成である。
【００４２】
受信側の認証情報通知式携帯電話機１１の受信部１６は、通信・通話データ受信装置３２と、認証結果処理装置３４と、表示装置３６とで構成される。通信・通話データ受信装置３２は、電話回線１２に接続される。
通信・通話データ受信装置３２は、電話回線１２から認証結果データを受信する。認証結果処理装置３４は、通知結果処理部３４１と個人データ登録部３４２とを有する。
【００４３】
個人データ登録部３４２は、認証結果データ対応の個人データ（個人情報）を登録する。個人データは、例えば、送信側の認証情報通知式携帯電話機１０へアクセスが見込まれる個人の住所、電話番号、顔写真等である。
通知結果処理部３４１は、通信・通話データ受信装置３２から供給される認証結果データに基づいて個人データ登録部３４２を検索して認証結果データ対応の個人データを表示装置３６に出力する。
なお、送信側の認証情報通知式携帯電話機１０の受信部の構成も、受信側の認証情報通知式携帯電話機１１の受信部１６と同じ構成である。
【００４４】
次に、図１乃至図４を参照して、この実施例の動作について説明する。
認証情報通知式携帯電話機１０を使用して相手との通信・通話に入る際に、送信部１４の人物画像入力装置２２によって使用者の顔等が撮像されてその人物画像データが表示装置２４に入力されてその表示画面上に表示される（図３のステップＳＳ１）。
【００４５】
その人物画像データは、また、認証処理装置２６へ供給される。認証処理装置２６では、撮像された人物画像データの供給と共に、人物画像処理部２６１が、認証用人物画像登録部２６２に登録されている認証用人物画像データを読み出し、供給された人物画像データと認証用人物画像登録部２６２から読み出された認証用人物画像データとを照合する（図３のＳＳ２）。
照合は、テンプレートマッチング方式によって行われる。照合によって得られた照合結果データ、すなわち、類似度を示す情報は、表示装置２４及び認証部２６３に供給される。
表示装置２４は、照合結果を表示する（図３のＳＳ３）。その表示は、照合が得られたか否かの表示である。
【００４６】
また、照合結果データを供給された認証部２６３は、照合結果データ（類似度）に基づいて本人か否かの判定を行う（図３のＳＳ４）。判定の結果本人であることが判れば（図３のＳＳ４のＹＥＳ）、認証部２６３は、認証結果データ、すなわち、本人か否かを示す情報、使用者の名前を示す情報を通信・通話データ送信装置２８に供給する。
通信・通話データ送信装置２８は、認証結果データを電話回線１２に送信する（図３のＳＳ５）。
本人でないことが判定されれば（図３のＳＳ４のＮＯ）、認証部２６３は、携帯電話機の使える機能を縮退させる等の制限処理を行う（図３のＳＳ６）。制限がされる機能の対象は、電話機能、メール機能、ウェブ閲覧機能等である。
【００４７】
受信側の認証情報通知式携帯電話機１１の受信部１６では、通信・通話データ受信装置３２が、電話回線１２を経て認証結果データを受信して（図４のＳＲ１）認証結果処理装置３４へ供給する。
通知結果処理部３４１は、通信・通話データ受信装置３２から供給された認証結果データに基づいて個人データ登録部３４２を検索して（図４のＳＲ２）認証結果データ対応の個人データ、例えば、受信された相手の住所、電話番号、顔写真等を表示装置３６の表示画面に出力する（図４のＳＲ３）。
表示画面に表示されている個人データを視認して通信・通話に入る（図４のＳＲ４）。
【００４８】
このように、この実施例によれば、送信側の認証情報通知式携帯電話機において発呼するに際して、人物画像データについての照合結果に基づいて本人の認証が得られると、認証結果データが着信側の認証情報通知式携帯電話機に送信され、受信した認証結果データに基づいて認証結果データ対応の個人データを表示視認し得るから、着信側の使用者は通信・通話相手の特定を容易に為し得る。
この効果を得るのに、人物画像データ全体でなく、認証結果データだけを送信すれば良いから、通信量を削減でき、したがって、通信時間の短縮も達成し得る。
また、従来のような身元認定局を必要とせず、したがって、認証機能を装備した携帯電話システムを比較的に安価に構成し得る。
【００４９】
◇第２実施例
図５は、この発明の第２実施例である認証情報通知式携帯電話機の送信部の構成を示す図である。
この実施例の構成が、第１実施例のそれと大きく異なる点は、本人認証に音声を用いた点である。
すなわち、認証情報通知式携帯電話機１０Ａ（図５には図示せず）の送信部１４Ａは、図５に示すように、音声入力装置２２Ａと、表示装置２４と、認証処理装置２６Ａと、通信・通話データ送信装置２８とから成る。通信・通話データ送信装置２８は、電話回線１２に接続される。
【００５０】
音声入力装置２２Ａは、マイクロホンから得られたアナログ音声信号を音声データ（音声情報、個人情報のうちの１つ）に変換して認証処理装置２６Ａへ供給する。音声データは、アナログ音声信号を直接変換したものでもよいし、アナログ音声信号のうちの特徴部分（声紋等）を変換したものでもよい。
表示装置２４は、認証処理装置２６Ａから返送されて来る照合結果データを表示する。
【００５１】
認証処理装置２６Ａは、音声データ処理部２６１Ａと、認証用音声データ登録部２６２Ａと、認証部２６３Ａとから成る。音声データ処理部２６１Ａは、音声入力装置２２Ａから入力された音声データと認証用音声データ登録部２６２Ａに登録されている認証用音声データ（認証用音声情報、認証用個人情報のうちの１つ）とを照合して照合結果データ（照合情報）を表示装置２４及び認証部２６３Ａに出力する。上記照合は、画像の類似度を測るテンプレートマッチング方式を用いる。
認証用音声データ登録部２６２Ａへの登録は、携帯電話契約時に予め登録する。登録は変更してもよく、また、登録者は、１人でもよいし、複数人でもよい。照合結果データは、例えば、データ間の類似度を示すデータである。
【００５２】
認証部２６３Ａは、音声データ処理部２６１Ａから供給される照合結果データに基づいて認証結果データ、例えば、本人か否かを示す情報、使用者の氏名を示す情報を通信・通話データ送信装置２８に出力する。
通信・通話データ送信装置２８は、認証結果データを電話回線１２に送信する。
この構成を除くこの実施例の各部の構成は、第１実施例と同一構成であるので、それらの各部には図１及び図２と同一の参照符号を付してその説明を省略する。
【００５３】
次に、図５を参照して、この実施例の動作について説明する。
認証情報通知式携帯電話機１０Ａを使用して相手との通信・通話に入る際に、送信部１４Ａの音声入力装置２２Ａに使用者の音声信号が入力されてその音声データが、認証処理装置２６Ａへ供給される。
認証処理装置２６Ａでは、入力された音声データが音声入力装置２２Ａから供給されるのと並行して、音声データ処理部２６１Ａが、認証用音声データ登録部２６２Ａに登録されている認証用音声データを読み出し、供給された音声データと認証用音声データ登録部２６２から読み出された認証用音声データとを照合する。
照合は、テンプレートマッチング方式によって行われる。照合によって得られた照合結果データ、すなわち、類似度を示す情報は、表示装置２４及び認証部２６３Ａに供給される。
【００５４】
表示装置２４は、照合結果を表示する。その表示は照合が得られたか否かの表示である。
また、照合結果データを供給された認証部２６３Ａは、照合結果データ（類似度）に基づいて本人か否かの判定を行う。判定の結果本人であることが判れば、認証部２６３Ａは、認証結果データ、すなわち、本人か否かを示す情報、使用者の名前を示す情報を通信・通話データ送信装置２８に供給する。
通信・通話データ送信装置２８は、認証結果データを電話回線１２に送信する。
本人でないことが判定されれば、認証部２６３は、携帯電話機の使える機能を縮退させる制限処理を行う。
認証情報通知式携帯電話機１０Ａの受信部１６の動作は、第１実施例と同じである。
【００５５】
このように、この実施例の構成によれば、送信側の認証情報通知式携帯電話機において発呼するに際して、音声データについての照合結果に基づいて本人の認証が得られると、認証結果データが着信側の認証情報通知式携帯電話機に送信され、受信した認証結果データに基づいて認証結果データ対応の個人データを表示視認し得ることは、第１実施例と同様である。
したがって、第１実施例と同様の効果が得られる。
【００５６】
◇第３実施例
図６は、この発明の第３実施例である認証情報通知式携帯電話機の送信部の構成を示す図である。
この実施例の構成が、第１実施例のそれと大きく異なる点は、本人認証に指紋を用いた点である。
すなわち、認証情報通知式携帯電話機１０Ｂ（図６には図示せず）の送信部１４Ｂは、図６に示すように、指紋入力装置２２Ｂと、表示装置２４と、認証処理装置２６Ｂと、通信・通話データ送信装置２８とから成る。通信・通話データ送信装置２８は、電話回線１２に接続される。
【００５７】
指紋入力装置２２Ｂは、指紋撮像装置から得られたアナログ指紋信号を指紋画像データ（指紋画像情報、個人情報のうちの１つ）に変換して表示装置２４に出力する。
表示装置２４は、入力さされた指紋画像データをＴＦＴ液晶等表示装置の表示画面に画像にして表示すると共に、認証処理装置２６Ｂへ供給する一方、認証処理装置２６Ｂから返送されて来る照合結果データを表示する。
【００５８】
認証処理装置２６Ｂは、指紋画像処理部２６１Ｂと、認証用指紋画像登録部２６２Ｂと、認証部２６３Ｂとから成る。指紋画像処理部２６１Ｂは、表示装置２４から入力された指紋データと認証用指紋画像登録部２６２Ｂに登録されている認証用指紋データ（認証用指紋画像情報、個人情報のうちの１つ）とを照合して照合結果データ（照合情報）を表示装置２４及び照合結果判定部２６３Ｂに出力する。上記照合は、指紋画像の類似度を測るテンプレートマッチング方式を用いる。認証用指紋画像登録部２６２Ｂへの登録は、携帯電話契約時に予め登録する。登録は変更してもよく、また、登録者は、１人でもよいし、複数人でもよい。照合結果データは、例えば、データ間の類似度を示すデータである。
【００５９】
認証部２６３Ｂは、指紋画像処理部２６１Ｂから供給される照合結果データに基づいて認証結果データ（認証情報）、例えば、本人か否かを示す情報、使用者の氏名を示す情報を通信・通話データ送信装置２８に出力する。
通信・通話データ送信装置２８は、認証結果データを電話回線１２に送信する。
この構成を除くこの実施例の各部の構成は、第１実施例と同一構成であるので、それらの各部には図１及び図２と同一の参照符号を付してその説明を省略する。
【００６０】
次に、図６を参照して、この実施例の動作について説明する。
認証情報通知式携帯電話機１０Ｂを使用して相手との通信・通話に入る際に、送信部１４Ｂの指紋画像入力装置２２Ｂに使用者のアナログ指紋信号が入力されて指紋データに変換され、その指紋データが表示装置２４に入力されてその表示画面上に指紋が表示される。
【００６１】
その指紋データは、また、認証処理装置２６Ｂへ供給される。認証処理装置２６Ｂでは、入力された指紋データが表示装置２４から供給されるのと並行して、指紋画像処理部２６１Ｂが、認証用指紋画像登録部２６２Ｂに登録されている認証用指紋データを読み出し、供給された指紋データと認証用指紋画像登録部２６２から読み出された認証用指紋データとを照合する。
照合は、テンプレートマッチング方式によって行われる。照合によって得られた照合結果データ、すなわち、類似度を示す情報は、表示装置２４及び照合結果判定部２６３Ｂに供給される。
【００６２】
表示装置２４は、照合結果を表示する。その表示は、照合が得られたか否かの表示である。
また、照合結果データを供給された認証部２６３Ｂは、照合結果データ（類似度）に基づいて本人か否かの判定を行う。判定の結果本人であることが判れば、認証部２６３Ｂは、認証結果データ、すなわち、本人か否かを示す情報、使用者の氏名を示す情報を通信・通話データ送信装置２８に供給する。
通信・通話データ送信装置２８は、認証結果データを電話回線１２に送信する。
本人でないことが判定されれば、認証部２６３Ｂは、携帯電話機の使える機能を縮退させる等の制限処理を行う。
認証情報通知式携帯電話機１０Ｂの受信部１６の動作は、第１実施例と同じである。
【００６３】
このように、この実施例の構成によれば、送信側の認証情報通知式携帯電話機において発呼するに際して、指紋データについての照合結果に基づいて本人の認証が得られると、認証結果データが着信側の認証情報通知式携帯電話機に送信され、受信した認証結果データに基づいて認証結果データ対応の個人データを表示視認し得ることは、第１実施例と同様である。
したがって、第１実施例と同様の効果が得られる。
【００６４】
◇第４実施例
図７は、この発明の第４実施例である認証情報通知式携帯電話機の送信部の構成を示す図である。
この実施例の構成が、第１実施例のそれと大きく異なる点は、本人認証に人物画像、音声及び指紋を用いた点である。
すなわち、認証情報通知式携帯電話機１０Ｃ（図７には図示せず）の送信部１４Ｃは、図７に示すように、人物画像入力装置２２と、音声入力装置２２Ａと、指紋入力装置２２Ｂと、表示装置２４と、認証処理装置２６Ｃと、通信・通話データ送信装置２８とから成る。通信・通話データ送信装置２８は、電話回線１２に接続される。
【００６５】
人物画像入力装置２２は、人物画像撮像装置（図示せず）から得られたアナログ画像信号を人物画像データ（人物画像情報、個人情報のうちの１つ）に変換して表示装置２４に出力する。音声入力装置２２Ａは、マイクロホン（図示せず）から得られたアナログ音声信号を音声データ（音声情報、個人情報のうちの１つ）に変換して認証処理装置２６Ｃに出力する。指紋入力装置２２Ｂは、指紋撮像装置（図示せず）から得られたアナログ指紋信号を指紋画像データ（指紋画像情報、個人情報のうちの１つ）に変換して表示装置２４に出力する。
表示装置２４は、入力さされた人物画像データ及び指紋画像データを表示装置の表示画面に画像にして表示すると共に、人物画像データ及び指紋画像データを認証処理装置２６Ｃへ供給する一方、認証処理装置２６Ｃから返送されて来る照合結果データ（照合情報）の各々を表示する。
【００６６】
認証処理装置２６Ｃは、個別データ処理部２６１Ｃと、認証用個別データ登録部２６２Ｃと、認証部２６３Ｃとから成る。個別データ処理部２６１Ｃは、表示装置２４及び音声入力装置２２Ａから入力された個別データの各々、すなわち、人物画像データ、音声データ及び指紋画像データと認証用個別データ登録部２６２Ｂに登録されている認証用人物画像データ、認証用音声データ及び認証用指紋画像データとを個別に照合して各別の照合結果データ（照合情報）を表示装置２４及び認証部２６３Ｃに出力する。上記照合は、照合対象間の類似度を測るテンプレートマッチング方式を用いる。認証用個別データ登録部２６２Ｃへの登録は、携帯電話契約時に予め登録する。登録は変更してもよく、また、登録者は、１人でもよいし、複数人でもよい。照合結果データは、例えば、データ間の類似度を示すデータである。
表示装置２４の画面上への表示は、人物画像データ及び指紋画像データについて表示し、音声データについては表示しない。
【００６７】
認証部２６３Ｃは、個別データ処理部２６１Ｃから供給される各照合結果データに基づいて認証結果データ（認証情報）、例えば、本人か否かを示す情報、使用者の氏名を示す情報を通信・通話データ送信装置２８に出力する。
通信・通話データ送信装置２８は、認証結果データを電話回線１２に送信する。
この構成を除くこの実施例の各部の構成は、第１実施例と同一構成であるので、それらの各部には図１及び図２と同一の参照符号を付してその説明を省略する。
【００６８】
次に、図７を参照して、この実施例の動作について説明する。
認証情報通知式携帯電話機１０Ｃを使用して相手との通信・通話に入る際に、送信部１４Ｃの人物画像入力装置２２及び指紋入力装置２２Ｂからアクセスしようとする使用者のアナログ人物画像信号及びアナログ指紋画像信号を変換した人物画像データ及び指紋画像データが表示装置２４に入力されてその表示画面上に人物画像及び指紋画像が表示されると共に、表示装置２４から人物画像データ及び指紋画像データが認証処理装置２６Ｃに供給される。また、音声入力装置２２Ａからアクセスしようとする使用者のアナログ音声信号を変換した音声データが、認証処理装置２６Ｃに供給される。
【００６９】
認証処理装置２６Ｃでは、入力された人物画像データ、音声データ及び指紋画像データが表示装置２４から供給されるのと並行して、個別データ処理部２６１Ｃが、認証用個別データ登録部２６２Ｃに登録されている人物画像データ、音声データ及び指紋画像データを読み出し、供給された人物画像データ、音声データ及び指紋画像データと認証用個別データ登録部２６２Ｃから読み出された人物画像データ、音声データ及び指紋画像データとを個別に照合する。
照合は、テンプレートマッチング方式によって行われる。照合によって得られた個別の照合結果データ（照合情報）、すなわち、類似度を示す情報は、表示装置２４及び認証部２６３Ｃに供給される。
【００７０】
表示装置２４は、照合結果を表示する。その表示は、照合が得られたか否かの表示である。
また、照合結果データを供給された認証部２６３Ｃは、照合結果データ（類似度）に基づいて本人か否かの判定を行う。判定の結果本人であることが判れば、認証部２６３Ｃは、認証結果データ（認証情報）、すなわち、本人か否かを示す情報、使用者の氏名を示す情報を通信・通話データ送信装置２８に供給する。
【００７１】
通信・通話データ送信装置２８は、認証結果データを電話回線１２に送信する。
本人でないことが判定されれば、認証部２６３Ｃは、携帯電話機の使える機能を縮退させる等の制限処理を行う。制限がされる機能の対象は、第１実施例と同様である。
認証情報通知式携帯電話機１０Ｃの受信部１６の動作は、第１実施例と同じである。
【００７２】
このように、この実施例の構成によれば、送信側の認証情報通知式携帯電話機において発呼するに際して、人物画像データ、音声データ及び指紋データについての照合結果に基づいて本人の認証が得られると、認証結果データが着信側の認証情報通知式携帯電話機に送信され、受信した認証結果データに基づいて認証結果データ対応の個人データを表示視認し得ることは、第１実施例と同様である。
したがって、認証情報通知式携帯電話機において、よりセキュリティの高い個人認証を少ない通信容量、短い通信時間の下で達成し得る。従来のような身元認定局を必要としないから、認証システムを安価に構成し得る。
【００７３】
◇第５実施例
図８は、この発明の第５の実施例である認証システムの構成を示す図ある。
この実施例の構成が、第１実施例のそれと大きく異なる点は、認証情報通知式携帯電話機で得られた認証結果データを身元確認システムでの本人確認に用いるようにした点である。
すなわち、認証システム５０は、第１実施例における認証情報通知式携帯電話機１０と、身元確認システム５２と、銀行システム５４とで概略構成される。認証情報通知式携帯電話機１０で人物画像データ（人物画像情報、個人情報のうちの１つ）に基づいて認証結果データ（認証情報）が生成され、認証結果データと共に銀行振込の処理依頼データを通信網（図示せず）を経て身元確認システム５２へ送信する。
【００７４】
身元確認システム５２は、認証情報通知式携帯電話機１０の送信部１４から認証結果データ及び銀行振込の処理依頼データを受け取る。身元確認システム５２は、認証結果データに基づいて第１実施例での受信側の認証情報通知式携帯電話機１１の受信部１６と同様の本人確認処理を行うと共に、その確認後認証結果データを既存の暗号化技術で暗号化して暗号化された認証結果データ及び処理依頼データを銀行システム５４に送出するものである。処理依頼データには、氏名、住所等の個人情報及び銀行の口座番号等が含まれる。
【００７５】
身元確認システム５２は、また、銀行システム５４から処理依頼データに対する処理結果通知が返送されて来たとき、認証情報通知式携帯電話機１０の受信部１６に対して処理結果通知を返送する。
この構成を除くこの実施例の各部の構成は、第１実施例と同一構成であるので、それらの各部には図１及び図２と同一の参照符号を付してその説明を省略する。
【００７６】
次に、図８を参照して、この実施例の動作について説明する。
この実施例における認証情報通知式携帯電話機１０は、第１実施例と同一形式の携帯電話機であり、その動作もまた同じである。
したがって、認証情報通知式携帯電話機１０を使用して銀行システム５４に銀行振込の処理依頼に入るに際して、認証情報通知式携帯電話機１０から送信された画像データに基づく認証結果データ及び処理依頼データが身元確認システム５２へ送信されるが、その認証結果データの生成処理は、上述した第１実施例と同様である。
認証結果データを受け取った身元確認システム５２は、第１実施例と同様にして本人の確認を行う。
【００７７】
銀行振込の処理依頼について本人確認が得られたとき、認証結果データに対して既存の暗号化技術で暗号化処理を施して暗号化された認証結果データと共に銀行振込の処理依頼データが、身元確認システム５２から銀行システム５４へ送信される。
この銀行振込の処理依頼データに対する処理結果通知が、銀行システム５４から身元確認システム５２に返されて来たとき、身元確認システム５２は、認証情報通知式携帯電話機１０に対して処理結果通知を行う。
認証情報通知式携帯電話機１０では、その表示装置の画面上に処理結果を表示する。
【００７８】
このように、この実施例によれば、認証情報通知式携帯電話機からの銀行振込に際して、人物画像データについての照合結果に基づいて本人の認証が得られると、認証結果データが身元確認システムに送信され、身元確認システムにおいて受信した認証結果データに基づいて本人の確認が行われ、本人の確認が得られたときに認証結果データを暗号化して銀行システムに銀行振込の処理依頼を行う。銀行システムでの処理結果は、身元確認システムを経て認証情報通知式携帯電話機に通知される。
したがって、銀行振込者の本人確認、銀行振込のセキュリティ高度化を通信量の削減、通信時間の短縮の下で達成し得る。
また、この効果を得るのに、従来のような身元認定局を必要とせず、したがって、認証機能を装備した認証システムを比較的に安価に構成し得る。
【００７９】
◇第６実施例
図９は、この発明の第６実施例である認証システムの構成を示す図である。
この実施例の構成が、第５実施例のそれと大きく異なる点は、本人認証に第２実施例と同様に、音声を用いた点である。
すなわち、認証システム５０Ａは、図９に示すように、第２実施例と同様の認証結果データ、すなわち、認証情報通知式携帯電話機１０Ａにおいて音声データ（音声情報、個人情報のうちの１つ）に基づいて生成された認証結果データ（認証情報）が、認証情報通知式携帯電話機１０Ａから身元確認システム５２へ送信され、身元確認システム５２での本人確認に用いられる。
この構成を除くこの実施例の各部の構成は、第５実施例と同一構成であるので、それらの各部には図８と同一の参照符号を付してその説明を省略する。
【００８０】
次に、図９を参照して、この実施例の動作について説明する。
この実施例における認証情報通知式携帯電話機１０Ａは、第２実施例と同一形式の携帯電話機であり、その動作もまた同じである。
したがって、認証情報通知式携帯電話機１０Ａを使用して銀行システム５４に銀行振込の処理依頼に入るに際して、身元確認システム５２に認証結果データ及び処理依頼データが送出されるが、その認証結果データの生成処理は、上述した第２実施例と同様である。
認証結果データを受け取った身元確認システム５２は、第１実施例と同様にして本人の確認を行う。
【００８１】
銀行振込の処理依頼について本人確認が得られたとき、認証結果データに対して既存の暗号化技術で暗号化処理を施して暗号化された認証結果データと共に銀行振込の処理依頼データが、身元確認システム５２から銀行システム５４へ送信される。
この銀行振込の処理依頼データに対する処理結果通知が、銀行システム５４から身元確認システム５２に返されて来たとき、身元確認システム５２は、認証情報通知式携帯電話機１０Ａに対して処理結果通知を行う。
認証情報通知式携帯電話機１０Ａでは、その表示装置の画面上に処理結果を表示する。
【００８２】
このように、この実施例によれば、認証情報通知式携帯電話機からの銀行振込に際して、音声データについての照合結果に基づいて本人の認証が得られると、認証結果データが身元確認システムに送信され、身元確認システムにおいて受信した認証結果データに基づいて本人の確認が行われ、本人の確認が得られたときに認証結果データを暗号化して銀行システムに銀行振込の処理依頼を行う。銀行システムでの処理結果は、身元確認システムを経て認証情報通知式携帯電話機に通知される。
したがって、銀行振込者の本人確認、銀行振込のセキュリティ高度化を通信量の削減、通信時間の短縮の下で達成し得る。
また、この効果を得るのに、従来のような身元認定局を必要とせず、したがって、認証機能を装備した認証システムを比較的に安価に構成し得る。
【００８３】
◇第７実施例
図１０は、この発明の第７実施例である認証システムの構成を示す図である。
この実施例の構成が、第５実施例のそれと大きく異なる点は、本人認証に第３実施例同様の指紋を用いた点である。
すなわち、認証システム５０Ｂは、図１０に示すように、第３実施例と同様の認証結果データ、すなわち、認証情報通知式携帯電話機１０Ｂにおいて指紋画像データ（指紋画像情報、個人情報のうちの１つ）に基づいて生成された認証結果データ（認証情報）が認証情報通知式携帯電話機１０Ｂから身元確認システム５２へ送信され、認証結果データが身元確認システム５２での本人確認に用いられる。
この構成を除くこの実施例の各部の構成は、第５実施例と同一構成であるので、それらの各部には図８と同一の参照符号を付してその説明を省略する。
【００８４】
次に、図１０を参照して、この実施例の動作について説明する。
この実施例における認証情報通知式携帯電話機１０Ｂは、第３実施例と同一形式の携帯電話機であり、その動作もまた同じである。
したがって、認証情報通知式携帯電話機１０Ｂを使用して銀行システム５４に銀行振込の処理依頼に入るに際して、認証情報通知式携帯電話機１０Ｂから送信された指紋データに基づく認証結果データ及び処理依頼データが身元確認システム５２に送出されるが、その認証結果データの生成処理は、上述した第３実施例と同様である。
認証結果データを受け取った身元確認システム５２は、第１実施例と同様にして本人の確認を行う。
【００８５】
銀行振込の処理依頼について本人確認が得られたとき、認証結果データに対して既存の暗号化技術で暗号化処理を施して暗号化された認証結果データと共に銀行振込の処理依頼データが、身元確認システム５２から銀行システム５４へ送信される。
この銀行振込の処理依頼データに対する処理結果通知が、銀行システム５４から身元確認システム５２に返されて来たとき、身元確認システム５２は、認証情報通知式携帯電話機１０Ｂに対して処理結果通知を行う。
認証情報通知式携帯電話機１０Ｂでは、その表示装置の画面上に処理結果を表示する。
【００８６】
このように、この実施例によれば、認証情報通知式携帯電話機からの銀行振込に際して、指紋データについての照合結果に基づいて本人の認証が得られると、認証結果データが身元確認システムに送信され、身元確認システムにおいて受信した認証結果データに基づいて本人の確認が行われ、本人の確認が得られたときに認証結果データを暗号化して銀行システムに銀行振込の処理依頼を行う。銀行システムでの処理結果は、身元確認システムを経て認証情報通知式携帯電話機に通知される。
したがって、銀行振込者の本人確認、銀行振込のセキュリティ高度化を通信量の削減、通信時間の短縮の下で達成し得る。
また、この効果を得るのに、従来のような身元認定局を必要とせず、したがって、認証機能を装備した認証システムを比較的に安価に構成し得る。
【００８７】
◇第８実施例
図１１は、この発明の第８実施例である認証システムの構成を示す図である。
この実施例の構成が、第５実施例のそれと大きく異なる点は、本人認証に第４実施例と同様の人物画像、音声及び指紋を用いた点である。
すなわち、認証システム５０Ｃは、図１１に示すように、第４実施例と同様の認証結果データ、すなわち、認証情報通知式携帯電話機１０Ｃから送信された人物画像データ（人物画像情報）、音声データ（音声情報）及び指紋画像データ（指紋画像情報）（個人情報）に基づく認証結果データ（認証情報）が身元確認システム５２での本人確認に用いられる。
この構成を除くこの実施例の各部の構成は、第５実施例と同一構成であるので、それらの各部には図８と同一の参照符号を付してその説明を省略する。
【００８８】
次に、図１１を参照して、この実施例の動作について説明する。
この実施例における認証情報通知式携帯電話機１０Ｃは、第４実施例と同一形式の携帯電話機であり、その動作もまた同じである。
したがって、認証情報通知式携帯電話機１０Ｃを使用して銀行システム５４に銀行振込の処理依頼に入るに際して、認証情報通知式携帯電話機１０Ｃから送信された人物画像データ、音声データ及び指紋データに基づく認証結果データ並びに処理依頼データが身元確認システム５２に送出されるが、その認証結果データの生成処理は、上述した第４実施例と同様である。
認証結果データを受け取った身元確認システム５２は、第４実施例と同様にして本人の確認を行う。
【００８９】
銀行振込の処理依頼について本人確認が得られたとき、認証結果データに対して既存の暗号化技術で暗号化処理を施して暗号化された認証結果データと共に銀行振込の処理依頼データが、身元確認システム５２から銀行システム５４へ送信される。
この銀行振込の処理依頼データに対する処理結果通知が、銀行システム５４から身元確認システム５２に返されて来たとき、身元確認システム５２は、認証情報通知式携帯電話機１０Ｃに対して処理結果通知を行う。
認証情報通知式携帯電話機１０Ｃでは、その表示装置の画面上に処理結果を表示する。
【００９０】
このように、この実施例によれば、認証情報通知式携帯電話機からの銀行振込に際して、人物画像データ、音声データ及び指紋データについての照合結果に基づいて本人の認証が得られると、認証結果データが身元確認システムに送信され、身元確認システムにおいて受信した認証結果データに基づいて本人の確認が行われ、本人の確認が得られたときに認証結果データを暗号化して銀行システムに銀行振込の処理依頼を行う。銀行システムでの処理結果は、身元確認システムを経て認証情報通知式携帯電話機に通知される。
したがって、銀行振込者の本人確認、銀行振込のセキュリティ高度化を通信量の削減、通信時間の短縮の下で達成し得る。
また、この効果を得るのに、従来のような身元認定局を必要とせず、したがって、認証機能を装備した認証システムを比較的に安価に構成し得る。
【００９１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記いずれの実施例においても、照合をテンプレート方式で行う例を説明したが、他の照合方式を採用してもよい。
また、認証情報通知式携帯電話機について説明したが、情報端末装置としては、固定電話機でも、また、ＩＰ電話機でもよい。
また、認証結果データについて暗号化処理をする例について説明したが、処理依頼データについても暗号化処理をしてもよい。
【００９２】
【発明の効果】
以上説明したように、この発明の構成によれば、送信側の情報端末装置にアクセスして所定の動作を情報端末装置に生ぜしめようとする際に、アクセスしようとする人固有の特徴を表す個人情報が取得され、取得された個人情報と認証用個人情報との照合結果により本人の認証が得られると、認証情報が着信側の情報端末装置又は情報処理装置に送信され、受信した認証情報に基づいて本人の確認が行われる。
したがって、着信側の装置が電話機の場合着信側の電話機使用者は通信・通話相手の容易な確認を通信量の削減、通信時間の短縮の下で達成し得る。
【００９３】
また、着信側の装置が情報処理装置、例えば、銀行システムの場合着信側の銀行システムの使用者は銀行振込者の本人確認、銀行振込のセキュリティ高度化を通信量の削減、通信時間の短縮の下で達成し得る。
また、この効果を得るのに、従来のような身元認定局を必要とせず、したがって、認証機能を装備した電話システム乃至情報処理システムを比較的に安価に構成し得る。
【図面の簡単な説明】
【図１】この発明の第１の実施例である認証情報通知式携帯電話機の送信部の構成図である。
【図２】同認証情報通知式携帯電話機の受信部の構成図である。
【図３】同認証情報通知式携帯電話機の送信部の処理手順を示すフローチャートである。
【図４】同認証情報通知式携帯電話機の受信部の処理手順を示すフローチャートである。
【図５】この発明の第２実施例である認証情報通知式携帯電話機の送信部の構成を示すす図である。
【図６】この発明の第３実施例である認証情報通知式携帯電話機の送信部の構成を示す図である。
【図７】この発明の第４実施例である認証情報通知式携帯電話機の送信部の構成を示す図である。
【図８】この発明の第５実施例である認証システムの構成を示す図である。
【図９】この発明の第６実施例である認証システムの構成を示す図である。
【図１０】この発明の第７実施例である認証システムの構成を示す図である。
【図１１】この発明の第８実施例である認証システムの構成を示す図である。
【符号の説明】
１０、１１　　　認証情報通知式携帯電話機（情報端末装置）
１２　　　電話回線（通信網）
１４　　　送信部
１６　　　受信部
２２　　　人物画像入力装置（情報取得手段）
２２Ａ　　　音声データ入力装置（情報取得手段）
２２Ｂ　　　指紋画像入力装置（情報取得手段）
２４、３６　　　表示装置（表示手段）
２６、２６Ａ、２６Ｂ、２６Ｃ　　　認証処理装置
２６１　　　画像処理部（第１の情報読み出し手段、照合手段）
２６１Ａ　　　音声データ処理部（第１の情報読み出し手段、照合手段）
２６１Ｂ　　　指紋画像処理部（第１の情報読み出し手段、照合手段）
２６１Ｃ　　　個別データ処理部（第１の情報読み出し手段、照合手段）
２６２　　　認証用画像登録部（第１の登録手段）
２６２Ａ　　　認証用音声データ登録部（第１の登録手段）
２６２Ｂ　　　認証用指紋画像登録部（第１の登録手段）
２６２Ｃ　　　認証用個別データ登録部（第１の登録手段）
２６３、２６３Ａ、２６３Ｂ、２６３Ｃ　　　認証部（生成手段）
２８　　　通信・通話データ送信装置（送信手段）
３２　　　通信・通話データ受信装置（受信手段）
３４　　　認証結果処理装置
３４１　　　通知結果処理部（第２の情報読み出し手段）
３４２　　　個人データ登録部（第２の登録手段）
【図１】
2004021748.tif 000003
【図２】
2004021748.tif 000004
【図３】
2004021748.tif 000005
【図４】
2004021748.tif 000006
【図５】
2004021748.tif 000007
【図６】
2004021748.tif 000008
【図７】
2004021748.tif 000009
【図８】
2004021748.tif 000010
【図９】
2004021748.tif 000011
【図１０】
2004021748.tif 000012
【図１１】
2004021748.tif 000013